(57)【要約】【課題】  傾きを検知する感度が適度に高く、表面実装が容易で、傾斜センサー装置の生産性に優れ、導電性の球体が封入された容器の気密性が良好で、長期にわたって誤作動することなく傾きを検知することが可能な傾斜センサー装置を構成することが可能な配線基板およびその配線基板を用いて成る傾斜センサー装置を提供すること。【解決手段】  配線基板９は、上面の中央部に曲面状の凹部１ａが形成された外形形状が四角形以上の多角形状である絶縁基板１と、絶縁基板１の上面の外周部に凹部１ａを取り囲むようにして取着された外形形状が絶縁基板１と同形状の絶縁枠体２と、絶縁枠体２の各辺部の内面から絶縁基板１の側面および下面の少なくとも一方に導出された配線導体３とを具備し、絶縁基板１の上面の絶縁枠体２の内側に導電性の球体４が自由に転がることができる状態で収容されているとともに、配線導体３は互いに電気的に独立している。【選択図】  図１
2006010590.tif 000002
【特許請求の範囲】
【請求項１】
上面の中央部に曲面状の凹部が形成されているとともに外形形状が四角形以上の多角形状である絶縁基板と、該絶縁基板の上面の外周部に前記凹部を取り囲むようにして取着された外形形状が前記絶縁基板と同形状の絶縁枠体と、該絶縁枠体の各辺部の内面から前記絶縁基板の側面および下面の少なくとも一方に導出された配線導体とを具備しており、前記絶縁基板の上面の前記絶縁枠体の内側に導電性の球体が自由に転がることができる状態で収容されているとともに、前記配線導体は互いに電気的に独立していることを特徴とする配線基板。
【請求項２】
前記凹部は、その内面に前記配線導体に対して電気的に独立した電極パッドが形成されていることを特徴とする請求項１記載の配線基板。
【請求項３】
前記凹部は、前記絶縁基板が１０度以上傾いたときに前記球体が前記配線導体に接するように形成されていることを特徴とする請求項１または請求項２記載の配線基板。
【請求項４】
請求項１乃至請求項３のいずれかに記載の配線基板と、前記絶縁基板の上面の前記凹部に自由に転がることができる状態で収容された導電性の球体と、前記絶縁枠体の上面に取着された蓋体とを具備しており、前記配線基板が傾いたときに前記球体が接触している前記配線導体を検知することによって前記配線基板の傾斜方向を特定することを特徴とする傾斜センサー装置。
【発明の詳細な説明】
【技術分野】
【０００１】
本発明は、傾斜の方向を検知する傾斜センサー装置を形成するための配線基板およびその配線基板を用いて成る傾斜センサー装置に関する。
【背景技術】
【０００２】
従来、傾斜を検知するための傾斜センサー装置は、一般に、有機樹脂材料等の電気絶縁体から成る筐体と、線状の金属材料から成り、筐体の内側から外側に貫通するようにして配設され、互いに電気的に独立した複数の導電ピンと、筐体の内部に封入された導電性の球体とを具備した構造である。筐体は、通常、下板と上板とから構成され、導電ピンは、上板と下板との間に挟みこまれるようにして、または上板や下板を厚み方向に貫通するようにして取着される。また、上板と下板とを接合するときに、その間に球体を入れておくことにより、上板と下板とから成る筐体内に球体が封入される（例えば、特許文献１，２参照）。
【０００３】
このような傾斜センサー装置は、導電ピンのうち筐体の外側に露出している部分を外部電気回路基板の電気回路に半田等を介して電気的に接続して用いる。導電ピンが接続される外部電気回路は、電流計等の検知器やブザー等を含む検知器等と電気的に接続されている。
【０００４】
そして、傾斜センサー装置の傾きに応じて筐体内で球体が転がって移動し、隣り合う２本の金属ピンの間が導電性の球体で電気的に接続され、この電気的な接続を金属ピンと導通するようにして外部等に配置された電流計等の検知器で検知することにより、導電性の球体が移動した方向、つまり傾きの方向を検知することができる。
【０００５】
この傾斜センサー装置を、携帯電話やデジタルカメラ等の電子機器、トラクター等の不整地での作業用の車両の転倒防止装置、自動車の盗難防止装置等の機器を構成する電気回路基板等に部品として搭載し実装することにより、この傾斜センサー装置が実装された各種の機器の傾きの方向を検知することができる。
【０００６】
例えば、デジタルカメラやカメラ付き携帯電話に部品として実装して用いると、カメラの向き（いわゆる縦位置や横位置）に応じて画像の写し込まれる向きを変え、常に撮影時の上方向を保存されている画像の上方向と一致させるようにして撮像、保存することができる。
【０００７】
また、デジタルカメラや携帯電話、ＰＤＡ（Ｐｅｒｓｏｎａｌ  Ｄｉｇｉｔａｌ  Ａｓｓｉｓｔａｎｔ）等で画像を見る時も、デジタルカメラや携帯電話等の画像表示機の方向がどうであれ、常に写真の上側が地球の重力の反対側に表示されるように、つまり画像表示機を見ている利用者が写真等の画像を見やすいようにして表示することができる。
【特許文献１】特開平１１−１６２３０６号公報
【特許文献２】特開２００４−５５３１６号公報
【発明の開示】
【発明が解決しようとする課題】
【０００８】
しかしながら、従来の傾斜センサー装置によると、金属ピンを筐体の内側から外側に貫通するようにして配設し、この金属ピンを検知装置等に電気的に接続するようにして外部電気回路基板に実装する必要があるため、表面実装が可能な形態とすることが難しく、また、薄型化や小型化が難しいという問題があった。
【０００９】
また、例えば、筐体を構成する上板と下板、金属ピンおよび導電性の球体を準備し、上板と下板とを、金属ピンが貫通するようにして、かつ導電性の球体が封入されるようにして接合する必要があるため、部品の個数が多く製作工程も煩雑で、生産性が低いという問題があった。
【００１０】
また、筐体内部に外気の湿気等が侵入すると誤動作する危険性があるので筐体内の気密性を高くする必要があるが、導電ピンが筐体を貫通する部分で気密性が劣化する危険性があり、長期信頼性が低いという問題があった。
【００１１】
また、激しい振動が生じるような環境で使用した場合、導電性の球体が金属ピンに当たって導電ピンを変形させたり、隣り合う２本の導電ピンの間に導電性の球体が挟みこまれたりして、正常に傾きを検知することができなくなるという問題もあった。
【００１２】
また、筐体内の球体が移動する面は、通常、下板の上面であり平面状である。この場合、球体が転がり易いので、傾斜センサー装置のわずかな傾きでも鋭敏に検知して球体が移動してしまう。そのため、自動車の防犯用センサー等、わずかな傾きでも検知する必要があるような用途には有効であるものの、例えば、カメラ付き携帯電話のように手持ちで使用するような機器の場合、検知したい機器の傾きの方向以外のわずかなぶれ等に起因する傾きも検知してしまい、その機器を正常に作動させることが難しくなるという問題点があった。例えば、撮像時の機器（携帯電話）の重力方向に対する向き、いわゆる縦位置での撮像か横位置での撮像かを検知したいときに、それ以外のぶれ等を誤って機器の傾きとして検知してしまい、撮像した画像の向きが上下左右ばらばらになってしまう。
【００１３】
このような問題に対しては、筐体内の球体が転がる面の中央部に凹部を設けておき、その中に球体を収めて転がり難くするという手段が提案されている。しかしながら、従来の傾斜センサー装置では、凹部の縁からの距離が同じになるよう各導電ピンを取り付ける必要があるため傾斜センサー装置の製作がより煩雑になり、さらに生産性が低下するという問題が誘発されるおそれがある。
【００１４】
従って、本発明はかかる上述の問題点に鑑み完成されたものであり、その目的は、外部電気回路基板等に表面実装が容易で傾斜センサー装置の生産性に優れ、球体が封入された容器の気密性が良好で、長期にわたって誤作動することなく傾きを検知することが可能な傾斜センサー装置を形成するための配線基板、およびその配線基板を用いて成る傾斜センサー装置を提供することにある。
【課題を解決するための手段】
【００１５】
本発明の配線基板は、上面の中央部に曲面状の凹部が形成されているとともに外形形状が四角形以上の多角形状である絶縁基板と、該絶縁基板の上面の外周部に前記凹部を取り囲むようにして取着された外形形状が前記絶縁基板と同形状の絶縁枠体と、該絶縁枠体の各辺部の内面から前記絶縁基板の側面および下面の少なくとも一方に導出された配線導体とを具備しており、前記絶縁基板の上面の前記絶縁枠体の内側に導電性の球体が自由に転がることができる状態で収容されているとともに、前記配線導体は互いに電気的に独立していることを特徴とするものである。
【００１６】
本発明の配線基板は好ましくは、前記凹部は、その内面に前記配線導体に対して電気的に独立した電極パッドが形成されていることを特徴とするものである。
【００１７】
また、本発明の配線基板は好ましくは、前記凹部は、前記絶縁基板が１０度以上傾いたときに前記球体が前記配線導体に接するように形成されていることを特徴とするものである。
【００１８】
本発明の傾斜センサー装置は、上記の構成の配線基板と、前記絶縁基板の上面の前記凹部に自由に転がることができる状態で収容された導電性の球体と、前記絶縁枠体の上面に取着された蓋体とを具備しており、前記配線基板が傾いたときに前記球体が接触している前記配線導体を検知することによって前記配線基板の傾斜方向を特定することを特徴とするものである。
【発明の効果】
【００１９】
本発明の配線基板によれば、上面の中央部に曲面状の凹部が形成されているとともに外形形状が四角形以上の多角形状である絶縁基板と、絶縁基板の上面の外周部に凹部を取り囲むようにして取着された外形形状が絶縁基板と同形状の絶縁枠体と、絶縁枠体の各辺部の内面から絶縁基板の側面および下面の少なくとも一方に導出された配線導体とを具備しており、絶縁基板の上面の絶縁枠体の内側に導電性の球体が自由に転がることができる状態で収容されているとともに、配線導体は互いに電気的に独立していることから、導電性の球体が転がって移動した方向で配線導体と接して隣り合う配線導体の間が導電性の球体を介して電気的に接続され、この電気的な接続を検知することにより球体が転がった方向、つまり配線基板の傾きの方向を検知することができる。
【００２０】
この場合、球体は、曲面状の凹部の底面に沿って移動するので、配線基板の傾きが小さい場合には配線導体と接する位置にまで移動することはなく、球体が隣り合う配線導体の間を電気的に接続することによる傾きの検知の感度を、鋭敏に過ぎず適度に高いものとすることができる。これにより、例えば、携帯電話等の手持ちで使用される機器でも、ぶれ等のわずかな傾きには反応せず、機器を使用している角度等の、本来検知したい傾きを的確に検知することが可能な傾斜センサー装置を構成することが可能な配線基板とすることができる。
【００２１】
また、導電ピン等を配設する必要がないので、薄型化、小型化が容易である。
【００２２】
また、絶縁基板と絶縁枠体とで形成される凹状の収納部に球体を収容し、蓋体等で収納部を塞ぐだけで傾斜センサー装置を構成することができ、製作工程が簡単であるため、生産性を良好として傾斜センサー装置を作製することができる。
【００２３】
また、絶縁基板と絶縁枠体とを、例えば一体焼成されたセラミック焼結体の形態で一体的に形成することができるとともに、金属ピン等の貫通する部分がないので、蓋体で球体を入れた収納部を塞ぐことにより、球体を気密性に優れた状態で封入することができ、長期信頼性を優れたものとすることができる。
【００２４】
また、球体が接触するのが、絶縁枠体の内面に形成されている平面状の配線導体であるため、配線基板に激しい振動が加わり、球体が繰り返し当たったとしても配線導体に変形等が生じたり、隣り合う配線導体の間に球体が挟まったりするようなことは効果的に抑制され、長期にわたって正常に傾きを検知することが可能な傾斜センサー装置を構成することができる。
【００２５】
また、本発明の配線基板は好ましくは、絶縁基板の上面の絶縁枠体の内側に配線導体に対して電気的に独立した電極パッドが形成されていることから、電極パッドをも外部電気回路に電気的に接続することにより、球体が配線導体の一つのみに接触した場合でも、配線導体と電極パッドとの間の球体を介しての電気的接続を検知することにより傾きの方向を検知することができ、傾きの有無の検知および傾きの方向の検知の精度をより一層高くすることができる。
【００２６】
また、本発明の配線基板は好ましくは、凹部は、絶縁基板が１０度以上傾いたときに球体が配線導体に接するように形成されていることから、携帯電話等の手持ちで使用する機器において、頻繁に生じる手ぶれ等の１０度未満の傾きには反応せず、従って誤作動がより確実に防止された、検知の精度に優れるとともに使い勝手に優れた傾斜センサー装置を構成することが可能な配線基板とすることができる。
【００２７】
本発明の傾斜センサー装置は、上記の構成の配線基板と、絶縁基板の上面の絶縁枠体の内側に自由に転がることができる状態で収容された導電性の球体と、絶縁枠体の上面に取着された蓋体とを具備しており、配線基板が傾いたときに球体が接触している配線導体を検知することによって配線基板の傾斜方向を特定するものであることから、外部電気回路等に表面実装が容易で生産性に優れ、球体が封入された容器の気密性が良好で、長期にわたって誤作動することなく傾きを精度よく検知することが可能なものとなる。
【発明を実施するための最良の形態】
【００２８】
本発明の配線基板および傾斜センサー装置を添付の図面に基づいて詳細に説明する。図１（ａ）は、本発明の配線基板および傾斜センサー装置の実施の形態の一例を示す平面図であり、図１（ｂ）はその断面図である。図１において、１は絶縁基板、２は絶縁枠体、３は配線導体、４は導電性の球体、９は配線基板である。
【００２９】
絶縁基板１および絶縁枠体２は外形形状が同形状であり、絶縁基板１の上面の外周部に絶縁枠体２が取着されていることにより、絶縁基板１の上面と絶縁枠体２の内側との間に、球体４を収容するための収納部が形成されている。
【００３０】
絶縁基板１および絶縁枠体２は、酸化アルミニウム質焼結体（酸化アルミニウムセラミックス）や窒化アルミニウム質焼結体，ムライト質焼結体，炭化珪素質焼結体，窒化珪素質焼結体，ガラスセラミックス等の電気絶縁材料から成る。
【００３１】
絶縁基板１および絶縁枠体２は、例えば同じセラミック材料から成り、一体焼成することにより絶縁枠体２の絶縁基板１に対する取着が行なわれている。この場合、絶縁基板１と絶縁枠体２との外形形状を同じにしておくと、互いの外側面を上下に位置ずれしないように合わせるだけで、絶縁基板１に絶縁枠体２を容易に位置合わせして取着することができる。
【００３２】
絶縁基板１および絶縁枠体２は、例えば、ともに酸化アルミニウム質焼結体から成る場合、酸化アルミニウムや酸化珪素，酸化マグネシウム，酸化カルシウム等のセラミック原料粉末に適当な有機バインダ，溶剤，可塑剤および分散剤を添加混合して泥漿状となし、これを従来周知のドクターブレード法等によりシート状に成形することで複数枚のセラミックグリーンシート（以下、グリーンシートともいう）を得、しかる後、これらのグリーンシートに適当な打ち抜き加工を施して絶縁基板１となる板状のグリーンシートと絶縁枠体２となる枠状のグリーンシートとを形成し、板状のグリーンシートの上に枠状のグリーンシートを積層して、約１６００℃の温度で焼成することにより製作される。
【００３３】
絶縁基板１および絶縁枠体２は、上述の収納部内に球体４を収容するための容器の基体であり、球体４の移動した方向により配線基板の傾きの方向を精度良く検知するために四角形以上の多角形状に形成される。
【００３４】
この場合、例えば三角形であると、平面視において上下左右の四方向の傾きを検知することができない。従って、絶縁基板１および絶縁枠体２は、四角形以上の多角形状とする必要がある。なお、傾きを検知する機構については後で詳しく説明する。
【００３５】
絶縁枠体２の内面から絶縁基板１の側面および下面の少なくとも一方に配線導体３が導出され、各配線導体３は電気的に独立している。
【００３６】
また、絶縁基板１の上面の絶縁枠体２の内側に球体４が自由に転がることができる状態で収容されている。そして、球体４が転がって移動した方向で隣り合う配線導体３同士の間が球体４を介して電気的に接続され、この電気的な接続を検知することにより球体４が転がった方向、つまり配線基板９の傾きの方向を検知することができる。
【００３７】
なお、絶縁基板１の上面の中央部には凹部１ａが形成されており、絶縁基板１ａの上面の絶縁枠体２の内側に収容される球体４は、部分球面状、逆円錐状あるいは逆多角錘等の曲面状の凹部１ａの底面に沿って、配線基板９の傾きにともなう重力に従い自由に転がる。
【００３８】
この場合、球体４は、凹部１ａの底面に沿って移動するので、配線基板９の傾きが小さい場合には移動の範囲は凹部１ａ内に止まり、配線導体３と接する位置にまで移動することが効果的に防止される。また、凹部１ａの曲面形状を調整することにより、所望の角度に配線基板が傾いたときに球体４が凹部１ａから出て、その外側の絶縁枠体２の内面に接するようにすることができる。その結果、球体４が隣り合う配線導体３同士の間を電気的に接続することによる傾きの検知の感度を、鋭敏に過ぎず適度に高いものとすることができる。これにより、例えば、携帯電話等の手持ちで使用される機器でも、ぶれ等のわずかな傾きには反応せず、カメラ付き携帯電話の撮像の向き等のような本来検知したい機器の傾きを的確に検知することが可能な傾斜センサー装置を構成することが可能な配線基板９とすることができる。
【００３９】
また、絶縁基板１の側面や下面に導出された配線導体３の導出部分を外部電気回路に電気的に接続するだけで実装できるので、外部電気回路基板に対する表面実装を容易に行なうことができる。
【００４０】
また、従来のように金属ピン等を配設する必要がないので、薄型化、小型化が容易である。
【００４１】
また、絶縁基板１の上面の中央部の凹部１ａに球体４を収容し、蓋体５等で封止することにより傾斜センサー装置を構成することができ、製作工程が簡単であるため、傾斜センサー装置を生産性を良好として作製することができる。
【００４２】
また、絶縁基板１と絶縁枠体２とを一体的に形成することができるとともに、金属ピン等の貫通する部分がないので、例えば後述するように蓋体５で球体４が収容されている凹部１ａを塞ぐことにより、球体４を気密性に優れた状態で容器に封入することができ、長期信頼性を優れたものとすることができる。
【００４３】
また、球体４が接触するのが平面状の配線導体３であるため、球体４が繰り返し当たったとしても配線導体３に変形等が生じることは効果的に抑制され、長期にわたって正常に傾きを検知することが可能な傾斜センサー装置を作製することができる。
【００４４】
なお、配線導体３は、タングステンやモリブデン，マンガン，銅，銀，パラジウム，白金，金等の金属粉末メタライズから成り、例えば、タングステンの粉末に適当な有機バインダ，溶剤，可塑剤および分散剤等を添加混合して得たメタライズペーストを従来周知のスクリーン印刷法により絶縁基板１や絶縁枠体２となるグリーンシートに所定のパターンに印刷塗布し、これをグリーンシートの積層体とともに焼成することによって形成される。
【００４５】
なお、配線導体３の露出表面には、配線導体３が酸化腐食するのを防止するとともに配線導体３と球体４とが接触したときの電気的接続の感度を向上させるために、厚みが１〜１０μｍ程度のニッケルめっき層と厚みが０．１〜５μｍ程度の金めっき層とが順次被着されていることが好ましい。
【００４６】
また、球体４が繰り返し配線導体３に接触したときのめっき層の磨耗を効果的に防止するために、白金やパラジウム等の耐食性が良好で金よりも磨耗し難い金属層を最表層のめっき層として被着させてもよい。また、ニッケルめっき層にホウ素等を混入させてニッケルめっき層の硬度を高くするようにしてもよい。また、クロム等の硬質めっき層を被着させてもよい。
【００４７】
また、本発明の配線基板９は、絶縁基板１の上面の絶縁枠体２の内側に配線導体３に対して電気的に独立した電極パッドが形成されていることが好ましい。これにより、球体４が、配線導体３の一つのみに接した場合でも、配線導体３と電極パッドとの間の球体４を介しての電気的接続により傾きの方向を検知することができ、傾きの方向の検知の精度をより一層高くすることができる。この電極パッドは、凹部１ａの底面に形成されていてもよく、または絶縁基板１の上面の凹部１ａの外側の部位に、各配線導体３に対応させて配線導体３と同じ個数形成してもよい。
【００４８】
また、本発明の配線基板９は、凹部１ａは、絶縁基板１が１０度以上傾いたときに球体４が配線導体３に接するように形成されていることが好ましい。これにより、携帯電話等の手持ちで使用する機器において、頻繁に生じる手ぶれ等の１０度未満の傾きには反応せず、誤作動がより確実に防止された、検知の精度に優れるとともに使い勝手に優れた傾斜センサー装置を構成することが可能な配線基板９とすることができる。
【００４９】
なお、凹部１ａについて、絶縁基板１が１０度以上傾いたときに球体４が配線導体３に接するように形成するには、例えば、平面視形状が正方形の凹部１ａの場合、対向する辺間の距離が５００μｍであれば、凹部１ａの底面を断面が曲率半径７３２μｍの円弧状の球面状とする等の形状に成形すればよい。この場合、図１（ｂ）に示すように、凹部１ａの端が絶縁枠体２の内面に接して連続している場合、球体４は凹部１ａの外側に出ることはなく、凹部１ａの端にくると配線導体３に接することとなる。また、凹部１ａの端と絶縁枠体２の内面との間に絶縁基板１の上面がある場合、球体４は凹部１ａの外側に出て配線導体３に接することもある。
【００５０】
また、本発明の配線基板９は、絶縁枠体２は、上面と内面との間に全周にわたって段差が形成されており、配線導体３は、段差よりも下側の内面から段差の上面を経て絶縁基板１の側面および下面の少なくとも一方に導出されていることが好ましい。これにより、段差の長さを調節することにより、傾き易い方向（例えばデジタルカメラにおける上下方向等）で球体４の移動距離を短くし、球体４が配線導体３に接触し易くして検知の感度を高くする等、用途に応じた傾斜センサー装置を作製することが可能な配線基板９を提供することができる。
【００５１】
また、本発明の配線基板９は、絶縁基板１および絶縁枠体２は正六角形または正八角形であることが好ましい。これにより、傾きの生じる方向（例えば、平面視において上下左右方向とそれぞれの間の８方向、斜め上左右方向と斜め下左右方向および上下方向の６方向）を精度良く検知することができ、傾きの精度をより一層優れたものとすることができる。なお、八角形を超える多角形状では円形状に近くなるので、球体４が絶縁枠体２の辺部や角部に留まらずに不安定に移動し易くなり過ぎる傾向があり、傾きを検知する精度が低くなるおそれがある。
【００５２】
そして、上記構成の配線基板９において、絶縁基板１の上面の絶縁枠体２の内側に、凹部１ａの底面を自由に転がることができる状態で球体４を収容するとともに、絶縁枠体２の上面に蓋体５を取着することにより、配線基板９が傾いたときに球体４が接触している配線導体３を検知することによって配線基板９の傾斜方向を特定するようにした本発明の傾斜センサー装置が構成される。上記の構成により、傾きの検知の感度がぶれ等のわずかな傾きには反応せず、使用している機器の傾き等の傾きは的確に検知することが可能な適度に高いものであるとともに、表面実装が容易で生産性に優れ、球体４が封入された容器の気密性が良好で、長期にわたって誤作動することなく傾きを検知することが可能な傾斜センサー装置とすることができる。
【００５３】
なお、蓋体５は、酸化アルミニウム質焼結体や窒化アルミニウム質焼結体，ムライト質焼結体，炭化珪素質焼結体，窒化珪素質焼結体，ガラスセラミックス等のセラミック材料、鉄−ニッケル−コバルト合金や鉄−ニッケル合金等の金属材料で形成される。
【００５４】
また蓋体５は、絶縁枠体２の上面に取着して収納部を封止することができるものであればよく、特に形状、寸法等に制約はないが、例えば、取り扱いや絶縁枠体２の上面に取着する作業を容易とすること等を考慮して、絶縁枠体２と外形形状が同形状の板状に形成されるのがよい。
【００５５】
蓋体５は、酸化アルミニウム質焼結体から成る場合、絶縁基板１や絶縁枠体２と同様にしてグリーンシートを作製し、これを所定の寸法に切断加工して焼成することにより製作することができる。蓋体５の絶縁枠体２に対する取着は、ガラスやろう材、樹脂接着剤等の接合材を介して接合すること等の方法により行なうことができる。
【００５６】
また、球体４の上端と蓋体５の下面との間の距離は５０μm以上が好ましい。これにより、球体４が蓋体５の下面に頻繁に接触するようなことを効果的に防止し、球体４の移動をより滑らかにして傾きの検知の精度をより確実に高く確保することができる。また、球体４と蓋体５との間の距離が広くなりすぎることを防ぎ、球体４を自由に移動できるものとするとともに、球体４が蓋体５に強く衝突するようなことを効果的に防止し、気密封止の信頼性をより優れたものとすること等のために、上記距離は５０乃至３００μｍとすることがより好ましい。
【００５７】
なお、本発明は、上述の実施の形態の例に限定されるものではなく、本発明の要旨を逸脱しない範囲内であれば種々の変更は可能である。
【図面の簡単な説明】
【００５８】
【図１】（ａ）は本発明の配線基板および傾斜センサー装置の平面図、（ｂ）はその断面図である。
【符号の説明】
【００５９】
１・・・絶縁基板
１ａ・・・凹部
２・・・絶縁枠体
３・・・配線導体
４・・・球体
５・・・蓋体
９・・・配線基板
【図１】
2006010590.tif 000003